(57)【要約】【課題】  部品数を増加させずに、操作子のガタつきを防止できるスイッチ操作装置を提供する。【解決手段】  消音部材９の形状を表裏同形状に構成すると共に、当該消音部材９の第２の当接部１１における被位置決め部１１ｂの形状を略Ｖ形凸状とし、ケース４を構成する端板３の第２の規制部３ｃにおける位置決め部３ｂの形状を略Ｖ形凹状とし、操作子２の元位置における停止状態で、前記略Ｖ形凸状の被位置決め部１１ｂと略Ｖ形凹状の位置決め部３ｂとが当接するようにする。【選択図】  図１
2005044723.tif 000002
【特許請求の範囲】
【請求項１】
ケースと、
このケースに移動可能に設けられ、押圧操作されて一方向へ移動し、元位置へは自動復帰する操作子と、
前記ケースにおける前記操作子の押圧方向側及び元位置復帰方向側に夫々設けられた第１の規制部及び第２の規制部と、
前記操作子に取り付けられ、当該操作子の移動に伴い前記第１の規制部と当接する第１の当接部と、前記操作子の自動復帰に伴い前記第２の規制部と当接する第２の当接部とを有する消音部材と、
前記第２の規制部に形成された位置決め部と、
前記第２の当接部に形成された被位置決め部とを備えてなるスイッチ操作装置。
【請求項２】
位置決め部は略Ｖ形凹状をなし、被位置決め部は略Ｖ形凸状をなすことを特徴とする請求項１記載のスイッチ操作装置。
【請求項３】
操作子は、消音部材取り付け用の係合部を備え、
消音部材は、表裏同形状をなして、前記係合部に係合されて取り付けられることを特徴とする請求項１または２記載のスイッチ操作装置。
【発明の詳細な説明】
【技術分野】
【０００１】
本発明は、押圧操作によってオン・オフが切り替えられる構成のスイッチ操作装置に関する。
【背景技術】
【０００２】
自動車等の車両において、例えばヘッドライトクリーナ（一般的に、ヘッドライトの近傍に付設され、当該ヘッドライトに付着した泥等をシャワーを用いて洗浄液を噴射しながら、ワイパーで拭き取る構成をなす装置。）等におけるスイッチの操作を行うスイッチ操作装置は、図７に示すように、例えばケース本体１０１に端板１０２を取り付けてケース１０３として構成し、このケース１０３に当該ケース１０３内を移動可能な操作子１０４を挿入配設している。
【０００３】
このようなスイッチ操作装置における操作子１０４には、その押圧方向（矢印Ｃ方向）の端部部分に、後述する消音部材１０６を取り付けるための係合部１０７、１０７が形成されている。この係合部１０７は、図８に示すように、クランク形の凸部１０７Ａ、１０７Ｂを有して構成され、相互間に幅狭部１０７ａが形成されている。また、この係合部１０７の各凸部１０７Ａ、１０７Ｂと操作子１０４間には空間部１０７ｂ、１０７ｂが構成されている。
【０００４】
更に、操作子１０４の略中央部には、図７に示すように、可動接点板１０５ａが、前記操作子１０４の前記前後方向に突出して固定されている。
また、前記各係合部１０７には、図９に示すような、消音部材１０６が夫々取り付けられている。この消音部材１０６には、左右両側に突出する第１の爪部１０６ａ、１０６ａを有する第１の当接部１０６ｂが形成されると共に、同じく左右両側に突出する第２の爪部１０６ｃ、１０６ｃを有する第２の当接部１０６ｄが形成され、更に前記第１の当接部１０６ｂ及び第２の当接部１０６ｄとの間には括れ部１０６ｅが形成されている。
【０００５】
また、端板１０２には、図７に示すように、スイッチ１０５を構成する固定接点板１０５ｂと、この固定接点板１０５ｂと電気的に接続された端子１０５ｃとが設けられている。そして、この固定接点板１０５ｂの近傍の左右部位には、夫々対をなす第１の規制部１０２ａ、１０２ａ及び第２の規制部１０２ｂ、１０２ｂが形成されており、この場合、第１の規制部１０２ａは第２の規制部１０２ｂよりも押圧方向側に位置し、第２の規制部１０２ｂは第１の規制部１０２ａより元位置復帰方向側に位置する。
【０００６】
ところで、前記係合部１０７に対してこの消音部材１０６の取り付けは、図１０に示すように、前記消音部材１０６を係合部１０７における凸部１０７Ａ、１０７Ｂに対して前記前後方向に位置させて、当該消音部材１０６の第２の爪部１０６ｃ（第２の当接部１０６ｄ）から挿入されるものである。このとき消音部材１０６は、当該消音部材１０６の第２の爪部１０６ｃを係合部１０７の空間部１０７ｂに傾斜させながら挿入して嵌合させる共に、消音部材１０６の括れ部１０６ｅを係合部１０７の幅狭部１０７ａに押し込みながら嵌合させることに基づいて当該係合部１０７に不動状態に取り付けられる。そして、このとき第１の爪部１０６ａは係合部１０７の端面に密接する。これにより、消音部材１０６は係合部１０７に対し、前記押圧方向、前後方向、そして左右方向に不動状態となる。
【０００７】
さて、スイッチ操作装置は、操作子１０４が、図７における矢印Ｃ方向へ押圧操作されると、これに伴って可動接点板１０５ａが端板１０２の固定接点板１０５ｂと接触して導通されることにより、前記ヘッドライトクリーナのスイッチ１０５がオンされる。このとき、端板１０２において、操作子１０４が押圧移動されていくと、図１１（ａ）に示すように、当該操作子１０４の係合部１０７に取り付けられた消音部材１０６の第１の当接部１０６ｂが端板１０２の第１の規制部１０２ａに当接して、それ以上の移動（挿入）が阻止されると共に、図示しないハートカム機構により元位置復帰方向側への移動が規制され押圧位置にてロックされる。なお、端板１０２の第１の規制部１０２ａと、消音部材１０６の第１の当接部１０６ｂとの当接時には当該消音部材１０６により互いの部材の衝突音は緩和される。
【０００８】
そして、操作子１０４が再度押圧操作されると、前記ハートカム機構により前記ロックが解除されて、例えば図示しないばね等の付勢力によって、図１１（ｂ）に矢印Ｄで示す元位置復帰方向へ自動復帰し、これに伴って可動接点板１０５ａが端板１０２の固定接点板１０５ｂから開離されることにより前記ヘッドライトクリーナのスイッチ１０５がオフされる。このとき、操作子１０４の元位置復帰方向側への移動は、当該操作子１０４の係合部１０７に取り付けられた消音部材１０６の第２の当接部１０６ｄが端板１０２の第２の規制部１０２ｂに当接することにより停止され元位置にて停止状態となる。なお、端板１０２の第２の規制部１０２ｂと、消音部材１０６の第２の当接部１０６ｄとの当接時には当該消音部材１０６により互いの部材の衝突音は緩和される。
【発明の開示】
【発明が解決しようとする課題】
【０００９】
上記のように複数の部品で構成されたスイッチ操作装置においては、ケース１０３に対して操作子１０４を滑らかに移動させてユーザーの使用感を損ねず、操作性、或いは組み付け作業性等を確保するために、一般的に夫々の部品間には適当なクリアランスが設けられるものであるが、このように部品間にクリアランスを設けると前記操作性、或いは作業性は向上するが、操作子１０４がケース１０３に対して元位置における停止状態で横方向にがたつく問題があった。
【００１０】
本発明は上記事情に鑑みてなされたもので、その目的は、部品数を増加させずに操作子のガタつきを防止できるスイッチ操作装置を提供することにある。
【課題を解決するための手段】
【００１１】
上記目的を達成するために、本発明のスイッチ操作装置は、ケースと、このケースに移動可能に設けられ、押圧操作されて一方向へ移動し、元位置へは自動復帰する操作子と、前記ケースにおける前記操作子の押圧方向側及び元位置復帰方向側に夫々設けられた第１の規制部及び第２の規制部と、前記操作子に取り付けられ、当該操作子の移動に伴い前記第１の規制部と当接する第１の当接部と、前記操作子の自動復帰に伴い前記第２の規制部と当接する第２の当接部とを有する消音部材と、前記第２の規制部に形成された位置決め部と、前記第２の当接部に形成された被位置決め部とを備えることを特徴とする（請求項１の発明）。
【００１２】
この構成によれば、操作子の押圧方向及び元位置復帰方向の両方向における当接、つまり第１の規制部と第１の当接部との当接と、第２の規制部と第２の当接部との当接とは消音部材を介したものとなるので、このときの互いの部材から発生する衝突音、或いは衝撃が緩衝される。そして、第２の規制部と第２の当接部との当接時に、被位置決め部が位置決め部により位置決めされ、この結果、操作子のがたつきを防止することができる。
【００１３】
また、上記構成の場合、位置決め部は略Ｖ形凹状をなし、被位置決め部は略Ｖ形凸状をなす構成とするとよい（請求項２の発明）。
この構成によれば、操作子の自動復帰における元位置での当接は、凹状の被位置決め部と凸状の位置決め部と当接となるので、凹部が凸部を当接方向（当接位置）へ確実に誘導することができる共に、部品数を増加させることなく、更に部品精度に多少の誤差があっても元位置における操作子の停止状態の際にがたつきが一層確実に防止される。
【００１４】
更に、上記構成の場合、操作子は、消音部材取り付け用の係合部を備え、消音部材は、表裏同形状をなして、前記係合部に係合されて取り付けられる構成とするとよい（請求項３の発明）。
この構成によれば、消音部材は、表裏同形状であるので、この消音部材を操作子の係合部に取り付ける際に、その都度裏表を確認する手間を省くことができる。
【発明の効果】
【００１５】
以上の説明から明らかなように、本発明のスイッチ操作装置は、部品数を増加させることなく、当該部品精度に多少の誤差があっても操作子のガタつきが防止できるという優れた効果を有する。
【発明を実施するための最良の形態】
【００１６】
以下、本発明の一実施例（一実施形態）について、図１〜図６を参照して説明する。
スイッチ操作装置は、その概略的な組立図を示す図１のように、矩形箱状をなすケース本体１において、当該ケース本体１の押圧方向における一開口部１ａに操作子２を挿入し、更にケース本体１の前後方向における一開口部１ｂに矩形板状の端板３を被せることに基づいて構成されている。
【００１７】
なお、ケース本体１と端板２とでケース４は構成されるものであり、操作子２の押圧方向における先端部とケース本体１との間には、図示しないが前記操作子２を元位置復帰方向へ自動復帰させるための付勢力を付与するためのばねが配設されている。また、ケース本体１、操作子２、及び端板３は硬質な樹脂から構成されるものである。
ケース本体１には、前記左右方向において、その対向する両壁に引掛部５が４箇所形成されると共に、対向する両内面には前記操作子２の移動をガイドする断面コ字の直線状のガイド部６、そして、このガイド部６内には前記操作子２の抜止め防止のための抜止め部６ａが夫々設けられている。そして、操作子２には、前記左右方向の両外面に位置させて抜止め爪２ａが形成されており、当該操作子２がケース本体１の開口部１ａから挿入されると、前記抜止め爪２ａがガイド部６内にてガイドされ、挿入が進むにつれて前記抜止め爪２ａがガイド部６内の抜止め部６ａと係合することに基づいてケース本体１に抜止め状態に固定される。
【００１８】
また、操作子２には、その押圧方向の端部部分に、後述する消音部材を取り付けるための係合部７、７が形成されている。この係合部７は、図２に示すように、クランク形の凸部７Ａ、７Ｂとを有し構成され、相互間に幅狭部７ａが形成されている。また、この係合部７の各凸部７Ａ、７Ｂと操作子２との間には空間部７ｂが形成されている。更に、操作子２の略中央部には、図１に示すように、スイッチ８を構成する可動接点板８ａが当該操作子２の前後方向に突出して固定されている。
【００１９】
また、前記係合部７には、図３に示すような、消音部材９が取り付けられている。消音部材９は、左右両側に突出する第１の爪部１０ａ、１０ａを有する第１の当接部１０されると共に、Ｖ形凸状をなし、その側面に第２の爪部１１ａ、１１ａが設けられた被位置決め部１１ｂを有する第２の当接部１１が形成され、更に前記第１の当接部１０及び第２の当接部１１との間には括れ部１２が形成されている。このように、消音部材９は前後方向において表裏同形状であると共に、左右方向においても線対称に構成されている。なお、消音部材９は軟質な樹脂、例えばエストラマーにて構成されるものである。
【００２０】
また、端板３には、スイッチ８を構成する固定接点板８ｂと、この固定接点板８ｂと電気的に接続された端子８ｃとが設けられている。この固定接点８ｂは、図４に示すように、ケース本体１に端板３を取り付けた際に前記押圧方向及び左右方向において位置的に略合致するものである。また、固定接点板８ｂの近傍の左右部位には、夫々対をなす平面板状の第１の規制部３ａ、３ａ及び平面凹状の位置決め部３ｂを有する第２の規制部３ｃ、３ｃが形成されており、この場合、第１の規制部３ａは、第２の規制部３ｃよりも押圧方向側に位置し、第２の規制部３ｃは、第１の規制部３ａより元位置復帰方向側に位置するものである。
【００２１】
また、この端板３の左右方向の両外面に４箇所の爪部１３が形成されており、当該端板３は、前記ケース本体１の一開口部１ｂに押し込みながら嵌合させることにより、前記４箇所の爪部１３が前記ケース本体１の引掛部５に引っ掛かり不動状態に固定される。
ところで、前記係合部７に対して前記消音部材９の取り付けは、図５に示すように、前記消音部材９を係合部７に対して前記前後方向に位置させて、当該消音部材９の被位置決め部１１ｂ（第２の当接部１１）から挿入されるものである。このとき消音部材９は、当該消音部材９の第２の爪部１１ａを係合部７の空間部７ｂに傾斜させながら挿入して嵌合させる共に、消音部材９の括れ部１２を係合部７の幅狭部７ａに押し込みながら嵌合させることに基づいて係合部７に不動状態に取り付けられる。そして、このとき第１の爪部１０ａは係合部７の端面に密接する。これにより、消音部材９は係合部７に対し、前記押圧方向、前後方向、そして前左右方向に不動状態となる。
【００２２】
さて、スイッチ操作装置は、操作子２が、図１、又は図４に示す矢印Ａ方向に押圧操作されると、これに伴って可動接点板８ａが端板３の固定接点板８ｂと接触し導電されることにより、前記ヘッドライトクリーナのスイッチ８がオンされる。このとき、端板３において、操作子２が押圧移動されていくと、図６（ａ）に示すように、当該操作子２の係合部７に取り付けられた消音部材９の第１の当接部１０が端板３の第１の規制部３ａに当接して、それ以上の移動（挿入）が阻止されると共に、図示しないハートカム機構により元位置復帰方向側への移動が規制され押圧位置にてロックされる。なお、樹脂の性質上、消音部材９は端板３よりも軟質であるため、前記消音部材９の第１の当接部１０と、前記端板３の第１の規制部３ａとの当接時には当該消音部材９が多少弾性変形することによって、互いの部材の衝突音、或いは衝撃は緩和される。
【００２３】
そして、操作子２が再度押圧操作されると、前記ハートカム機構により前記ロックが解除されて、例えば図示しないばね等の付勢力によって元位置復帰方向側へ自動復帰し、これに伴って可動接点板８ａが端板３の固定接点板８ｂから開離されることにより前記ヘッドライトクリーナのスイッチ８がオフされる。このとき、操作子２の図６（ｂ）に矢印Ｂで示す元位置復帰方向側への移動は、当該操作子２の係合部７に取り付けられた消音部材９の第２の当接部１１が端板３の第１の規制部３ａに当接することにより停止され元位置にて停止状態となる。
【００２４】
このとき、消音部材９の第２の当接部１１における略Ｖ形凸状をなす被位置決め部１１ｂが、第２の規制部３ｃにおける略Ｖ形凹状をなす位置決め部３ｂに誘導されながら当接する。なお、消音部材９の第２の当接部１１と、端板３の第２の規制部３ｃとの当接時には当該消音部材９が多少弾性変形することによって、互いの部材の衝突音、或いは衝撃は緩和される。
【００２５】
以上のように、上記実施例によれば、第２の当接部１１における被位置決め部１１ｂの形状を略Ｖ形凸状とし、第２の規制部３ｃにおける位置決め部３ｂの形状を略Ｖ形凹状とする構成とした。このため、操作子４が元位置復帰方向側へ自動復帰する際には、前記端板３の凹状の位置決め部３ｂが消音部材９の第２の当接部１１における凸状の被位置決め部１１ｂを当接方向（当接位置）へと誘導することができるので、部品数を増加させることなく、部品精度に多少の誤差があっても、元位置における操作子２の停止状態の際にがたつきを防止することができる。
【００２６】
また、消音部材９を軟質なエストラマーにて構成した。このため、消音部材９の第１の当接部１０と、端板３の第１の規制部３ａとの当接時、或いは消音部材９の第２の当接部１１と、端板３の第２の規制部３ｃとの当接時には当該消音部材９が多少弾性変形するので、互いの部材の衝突音、或いは衝撃は緩和される。
また、消音部材９の形状を前後方向において表裏同形状とすると共に、左右方向においても線対称とする構成とした。このため、係合部７に消音部材９を取り付ける際に、都度形状の表裏や左右を確認しなくても済むので、スイッチ操作装置全体としての組み付け作業性が向上する。
【００２７】
また、消音部材９の第１の当接部１０に第１の爪部１０ａ、第２の当接部１１の側面に第２の爪部１１ａを形成すると共に、これら第１、第２の当接部との間に括れ部１２を形成し、更に係合部７に凸部７Ａ、７Ｂによって空間部７ｂ、及び幅狭部７ａを形成する構成とした。このため、軟質な消音部材９の各爪部１０ａ、１１ａを多少歪ませながら係合部７に嵌合すると共に、括れ部１２を幅狭部７ａに押し込みながら嵌合するだけで取り付けでき、当該取り付けの際に、取り付け工具等が不要となるので、一層組み付け作業性が向上する。
【００２８】
なお、上記実施例においては、第２の当接部１１における被位置決め部１１ｂの形状を略Ｖ形凸状とし、第２の規制部３ｃにおける位置決め部３ｂの形状を略Ｖ形凹状とする構成としたが、これに限定されるものではなく、例えば第２の当接部１１における被位置決め部１１ｂの形状を略Ｖ形凹状とし、第２の規制部３ｃにおける位置決め部３ｂの形状を略Ｖ形凸状としてもよく、操作子２の停止状態、特に元位置での停止状態において、がたつきが防止できるならば、その形状を特に限定するものではない。
【００２９】
また、スイッチ操作装置として、ヘッドライトクリーナのスイッチに適用したが、これに限定されるものではなく、例えばミラー格納用のスイッチ、或いはミリ波レーダー等による車間自動調整システムのスイッチ等、要旨を逸脱しない範囲で様々なスイッチに適用可能である。
【図面の簡単な説明】
【００３０】
【図１】本発明の一実施例を示すもので、スイッチ操作装置の分解斜視図
【図２】係合部の斜視図
【図３】消音部材の斜視図
【図４】ケース本体と端板との位置関係を示す斜視図
【図５】消音部材を係合部に係合する際の斜視図
【図６】（ａ）は操作子が押圧位置での断面図、（ｂ）は操作子が元位置での断面図
【図７】従来例を示す図４相当図
【図８】図２相当図
【図９】図３相当図
【図１０】図５相当図
【図１１】図６相当図
【符号の説明】
【００３１】
図中、１はケース本体（ケース）、２は操作子、３は端板（ケース）、３ａは第１の規制部、３ｂは位置決め部、３ｃは第２の規制部、４はケース、１０は第１の当接部、１１は第２の当接部、被位置決め部１１ｂである。
【図１】
2005044723.tif 000003
【図２】
2005044723.tif 000004
【図３】
2005044723.tif 000005
【図４】
2005044723.tif 000006
【図５】
2005044723.tif 000007
【図６】
2005044723.tif 000008
【図７】
2005044723.tif 000009
【図８】
2005044723.tif 000010
【図９】
2005044723.tif 000011
【図１０】
2005044723.tif 000012
【図１１】
2005044723.tif 000013